(57)【要約】【課題】何れのフォルダにユーザが要望する印刷媒体に印刷できるテンプレートが存在するのか一見して分かることが可能となるラベルデータ作成装置、プログラム及び記録媒体を提供する。【解決手段】コンピュータ装置２のＣＰＵ４１は、レイアウト編集ソフトが起動された場合には、テープ印刷装置３からテープカセット３Ｄに収納されているテープに関するテープＩＤを取得する。そして、ＣＰＵ４１は、表示装置５に、レイアウト編集画面８９を表示し、中央部にメニュー画面９８を表示する。そして、メニュー画面９８の「用途から選ぶ」のメニューボタン９７が、マウス７でクリックされた場合には、ＣＰＵ４１は、取得したテープＩＤに基づいて、アイコン選択画面９６に用途別フォルダを表すテンプレート無しアイコン又はテンプレート有りアイコンを一覧表示する（Ｓ１１〜Ｓ１５）。【選択図】図６
2009093243.tif 000002
【特許請求の範囲】
【請求項１】
表示手段と、テープ印刷装置に装着された長尺状の印刷媒体に印刷するための印刷データを作成・編集する印刷データ作成・編集手段と、を備えたラベルデータ作成装置において、
前記印刷データ作成・編集手段は、
前記印刷媒体に関する印刷媒体情報を取得する情報取得手段と、
前記印刷媒体情報別に作成されたテンプレートが格納された複数のフォルダを記憶
するテンプレート記憶手段と、
前記情報取得手段を介して取得した前記印刷媒体情報に一致するテンプレートが格
納された保有フォルダを前記複数のフォルダから抽出するフォルダ抽出手段と、
前記複数のフォルダのそれぞれを表す複数のアイコンを前記表示手段の表示画面に
一覧表示すると共に、前記保有フォルダに対応するアイコンと該保有フォルダでないフォルダに対応するアイコンとの表示態様を異ならせて一覧表示するアイコン一覧表示手段と、
前記アイコン一覧表示手段を介して一覧表示された前記複数のアイコンの中から選
択されたアイコンに対応するフォルダ内のテンプレートを一覧表示するテンプレート一覧表示手段と、
前記表示手段の表示画面に前記印刷媒体のレイアウトを表示するレイアウト表示手
段と、
前記テンプレート一覧表示手段を介して一覧表示されたテンプレートの中から選択
されたテンプレートを前記レイアウト上にラベルデータとして挿入表示する挿入表示手段と、
を有することを特徴とするラベルデータ作成装置。
【請求項２】
前記テンプレート一覧表示手段は、フォルダ内のテンプレートの中から前記情報取得手段を介して取得した前記印刷媒体情報に一致するテンプレートだけを抽出して一覧表示することを特徴とする請求項１に記載のラベルデータ作成装置。
【請求項３】
前記複数のフォルダは、用途別に設けられ、
前記アイコンは、対応するフォルダの用途を表示するように設定され、
前記テンプレートは、該テンプレートの用途に合ったフォルダに格納されていることを特徴とする請求項１又は請求項２に記載のラベルデータ作成装置。
【請求項４】
前記アイコン一覧表示手段は、前記フォルダ抽出手段を介して抽出された前記保有フォルダに対応するアイコンだけを前記表示手段の表示画面に一覧表示することを特徴とする請求項１乃至請求項３のいずれかに記載のラベルデータ作成装置。
【請求項５】
前記テープ印刷装置と通信する通信手段を備え、
前記情報取得手段は、前記通信手段を介して前記テープ印刷装置に装着された前記印刷媒体に関する印刷媒体情報を取得することを特徴とする請求項１乃至請求項４のいずれかに記載のラベルデータ作成装置。
【請求項６】
前記印刷データ作成・編集手段は、前記印刷媒体情報を入力する媒体情報入力手段を有し、
前記情報取得手段は、前記媒体情報入力手段を介して入力された前記印刷媒体情報を取得することを特徴とする請求項１乃至請求項５のいずれかに記載のラベルデータ作成装置。
【請求項７】
請求項１乃至請求項６のいずれかに記載のラベルデータ作成装置の印刷データ作成・編集手段としてコンピュータを機能させることを特徴とするプログラム。
【請求項８】
請求項１乃至請求項６のいずれかに記載のラベルデータ作成装置の印刷データ作成・編集手段としてコンピュータを機能させるためのプログラムが記録されてコンピュータで読み取り可能なことを特徴とする記録媒体。
【発明の詳細な説明】
【技術分野】
【０００１】
本発明は、長尺状のテープに印刷するための印刷データを作成・編集するラベルデータ作成装置、プログラム及び記録媒体に関するものである。
【背景技術】
【０００２】
従来より、多数のファイル等のデータが格納された複数のフォルダを一覧表示する技術に関し種々提案されている。
例えば、複数のフォルダを所定のフォルダ表示領域に一覧表示するフォルダ一覧表示手段と，前記フォルダ表示領域に表示されたフォルダの中から選択されたフォルダ内のファイルを所定のファイル表示領域にアイコン表示するファイル表示手段と，上記ファイル表示領域に表示されたファイルに対する選択要求に基づいて異なるフォルダから選択されたファイルを記憶する選択ファイル記憶手段と，上記異なるフォルダから選択されたファイルを所定の選択ファイル表示領域にアイコン表示する選択ファイル表示手段と，上記選択ファイル表示手段によって上記選択ファイル表示領域に表示されたファイルを選択すると，その選択されたファイルが実際に存在するフォルダを上記所定のフォルダ表示領域において強調表示するフォルダ強調表示手段と，複数の処理要求の候補から選択された所定の処理要求に対応する処理を，上記選択ファイル記憶手段によって記憶されているファイルそれぞれに対して一括して実行する処理実行手段とを具備したファイル処理装置がある（例えば、特許文献１参照。）。
【特許文献１】特開２００１−２２９０５７号公報（段落（００１５）〜（００３２）、図１〜図２２）
【発明の開示】
【発明が解決しようとする課題】
【０００３】
しかしながら、上述した特許文献１に記載される構成では、長尺状のテープやロールシート等の印刷媒体に印刷するための印刷データを作成・編集する場合には、印刷媒体が種々有るため、印刷媒体に印刷するテンプレートも印刷媒体の種類毎に作成される。そのため、複数のテンプレートが格納された複数のフォルダが一覧表示されても、何れのフォルダにユーザが要望する印刷媒体に印刷できるテンプレートが存在するのか一見して分からないという問題がある。
【０００４】
そこで、本発明は、上述した問題点を解決するためになされたものであり、何れのフォルダにユーザが要望する印刷媒体に印刷できるテンプレートが存在するのか一見して分かることが可能となるラベルデータ作成装置、プログラム及び記録媒体を提供することを目的とする。
【課題を解決するための手段】
【０００５】
前記目的を達成するため請求項１に係るラベルデータ作成装置は、表示手段と、テープ印刷装置に装着された長尺状の印刷媒体に印刷するための印刷データを作成・編集する印刷データ作成・編集手段と、を備えたラベルデータ作成装置において、前記印刷データ作成・編集手段は、前記印刷媒体に関する印刷媒体情報を取得する情報取得手段と、前記印刷媒体情報別に作成されたテンプレートが格納された複数のフォルダを記憶するテンプレート記憶手段と、前記情報取得手段を介して取得した前記印刷媒体情報に一致するテンプレートが格納された保有フォルダを前記複数のフォルダから抽出するフォルダ抽出手段と、前記複数のフォルダのそれぞれを表す複数のアイコンを前記表示手段の表示画面に一覧表示すると共に、前記保有フォルダに対応するアイコンと該保有フォルダでないフォルダに対応するアイコンとの表示態様を異ならせて一覧表示するアイコン一覧表示手段と、前記アイコン一覧表示手段を介して一覧表示された前記複数のアイコンの中から選択されたアイコンに対応するフォルダ内のテンプレートを一覧表示するテンプレート一覧表示手段と、前記表示手段の表示画面に前記印刷媒体のレイアウトを表示するレイアウト表示手段と、前記テンプレート一覧表示手段を介して一覧表示されたテンプレートの中から選択されたテンプレートを前記レイアウト上にラベルデータとして挿入表示する挿入表示手段と、を有することを特徴とする。
【０００６】
また、請求項２に係るラベルデータ作成装置は、請求項１に記載のラベルデータ作成装置において、前記テンプレート一覧表示手段は、フォルダ内のテンプレートの中から前記情報取得手段を介して取得した前記印刷媒体情報に一致するテンプレートだけを抽出して一覧表示することを特徴とする。
【０００７】
また、請求項３に係るラベルデータ作成装置は、請求項１又は請求項２に記載のラベルデータ作成装置において、前記複数のフォルダは、用途別に設けられ、前記アイコンは、対応するフォルダの用途を表示するように設定され、前記テンプレートは、該テンプレートの用途に合ったフォルダに格納されていることを特徴とする。
【０００８】
また、請求項４に係るラベルデータ作成装置は、請求項１乃至請求項３のいずれかに記載のラベルデータ作成装置において、前記アイコン一覧表示手段は、前記フォルダ抽出手段を介して抽出された前記保有フォルダに対応するアイコンだけを前記表示手段の表示画面に一覧表示することを特徴とする。
【０００９】
また、請求項５に係るラベルデータ作成装置は、請求項１乃至請求項４のいずれかに記載のラベルデータ作成装置において、前記テープ印刷装置と通信する通信手段を備え、前記情報取得手段は、前記通信手段を介して前記テープ印刷装置に装着された前記印刷媒体に関する印刷媒体情報を取得することを特徴とする。
【００１０】
また、請求項６に係るラベルデータ作成装置は、請求項１乃至請求項５のいずれかに記載のラベルデータ作成装置において、前記印刷データ作成・編集手段は、前記印刷媒体情報を入力する媒体情報入力手段を有し、前記情報取得手段は、前記媒体情報入力手段を介して入力された前記印刷媒体情報を取得することを特徴とする。
【００１１】
また、請求項７に係るプログラムは、請求項１乃至請求項６のいずれかに記載のラベルデータ作成装置の印刷データ作成・編集手段としてコンピュータを機能させることを特徴とする。
【００１２】
更に、請求項８に係る記録媒体は、請求項１乃至請求項６のいずれかに記載のラベルデータ作成装置の印刷データ作成・編集手段としてコンピュータを機能させるためのプログラムが記録されてコンピュータで読み取り可能なことを特徴とする。
【発明の効果】
【００１３】
請求項１に係るラベルデータ作成装置では、ユーザは、一覧表示されたアイコンの中から、情報取得手段を介して取得した印刷媒体情報に一致するテンプレート、つまり、ユーザが要望する印刷媒体に印刷できるテンプレートが格納された保有フォルダのアイコンを容易に選択することができる。また、保有フォルダのアイコンを選択することによって、この保有フォルダに格納されているテンプレートが一覧表示されるため、ユーザは、要望するテンプレートを確実に選択して、レイアウト上にラベルデータとして容易に挿入表示することができる。
【００１４】
また、請求項２に係るラベルデータ作成装置では、ユーザは、一覧表示されたテンプレート中から、ユーザが要望する印刷媒体に印刷できるテンプレートを迅速に選択することができる。
【００１５】
また、請求項３に係るラベルデータ作成装置では、ユーザは、用途に合った保有フォルダのアイコンを選択することによって、用途にあったテンプレートの一覧を見ることができ、所望のテンプレートを更に容易に選択することができる。
【００１６】
また、請求項４に係るラベルデータ作成装置では、保有フォルダに対応するアイコンだけが一覧表示されるため、アイコンを選択することによって、ユーザが要望する印刷媒体に印刷できるテンプレートを更に迅速に選択することが可能となる。
【００１７】
請求項５に係るラベルデータ作成装置では、ユーザは、テープ印刷装置に装着された印刷媒体に印刷できるテンプレートが格納された保有フォルダのアイコンを一覧表示されたアイコンの中から容易に選択することができる。また、保有ホルダのアイコンを選択することによって、この保有フォルダに格納されているテンプレートが一覧表示されるため、ユーザは、テープ印刷装置に装着された印刷媒体に印刷できるテンプレートを確実に選択して、レイアウト上にラベルデータとして容易に挿入表示することができる。
【００１８】
請求項６に係るラベルデータ作成装置では、ユーザは、印刷媒体の種類、幅等の要望する印刷媒体に関する印刷媒体情報を入力することによって、該印刷媒体に印刷できるテンプレートが格納された保有フォルダのアイコンを一覧表示されたアイコンの中から容易に選択することができる。また、保有ホルダのアイコンを選択することによって、この保有フォルダに格納されているテンプレートが一覧表示されるため、ユーザは、要望する印刷媒体に印刷できるテンプレートを確実に選択して、レイアウト上にラベルデータとして容易に挿入表示することができる。
【００１９】
また、請求項７に係るプログラムでは、コンピュータは当該プログラムを読み込むことによって、請求項１乃至請求項６のいずれかに記載のラベルデータ作成装置として機能する。
【００２０】
更に、請求項８に係る記録媒体では、請求項１乃至請求項６のいずれかに記載のラベルデータ作成装置の機能をコンピュータで実行されるプログラムとして備えることができる。このようなプログラムの場合、例えば、半導体メモリ、ハードディスク、フロッピー（登録商標）ディスク、データカード（ＩＣカード、磁気カード等）、光ディスク（ＣＤ−ＲＯＭ、ＤＶＤ等）、光磁気ディスク（ＭＤ等）、相変化ディスク、磁気テープ等のコンピュータで読み取り可能な記録媒体に記録し、必要に応じてコンピュータにロードして起動することにより用いることができる。この他、ＲＯＭやバックアップＲＡＭに前記プログラムを記録しておき、このＲＯＭやバックアップＲＡＭをコンピュータに組み込んで用いてもよい。
【発明を実施するための最良の形態】
【００２１】
以下、本発明に係るラベルデータ作成装置、プログラム及び記録媒体をラベル印刷システムについて、具体化した一実施例に基づいて図面を参照しつつ詳細に説明する。
【実施例】
【００２２】
先ず、本実施例に係るラベル印刷システム１の概略構成について図１に基づき説明する。図１は本実施例に係るラベル印刷システム１の概略構成を示す図である。
図１に示すように、本実施例に係るラベル印刷システム１は、パーソナルコンピュータ等から構成されるラベルデータ作成装置の一例としてのコンピュータ装置２と、このコンピュータ装置２と信号ケーブルＫ１を介して接続されるテープ印刷装置３とから構成されている。
また、コンピュータ装置２は、ホストコントローラ４、表示装置（例えば、ＣＲＴ、ＬＣＤ等）５、キーボード６、マウス７、イメージスキャナ８、及びＣＤリード・ライター（ＣＤ−Ｒ／Ｗ）９から構成されている。尚、マウス７は、ジョイスティックやトラックボール等に置き換えてもよい。また、ＣＤ−Ｒ／Ｗ９は、ＭＯ装置、ＤＶＤ装置等に置き換えてもよい。
【００２３】
また、テープ印刷装置３は、所定幅寸法以下（本実施例では、約２４ｍｍ以下である。）の長尺状の粘着媒体を裏面側に有する印刷テープが内蔵された後述のテープカセット３Ｄ（図２参照）が装着され、この印刷テープに対して印刷するプリンタであり、コンピュータ装置２からの印刷指令に基づき、所望の文字等が印刷された粘着材付印刷テープを作成する。
ここで、テープ印刷装置３は、その上面に文字キーや制御キー等の多数のキーを含むキーボード３Ａと、ラベルの編集作業等を行う際に参照するラベルのイメージ等を表示するディスプレイ３Ｂとを備えている。また、テープ印刷装置３の側壁には、印刷テープを外部に排出するテープ排出口３Ｃが形成されているので、コンピュータ装置２からの印刷指令に基づき、所望の文字が印刷された粘着材付印刷テープが、テープ排出口３Ｃから排出される。
【００２４】
次に、テープ印刷装置３の印刷機構にテープカセット３Ｄを装着した場合の概略構成について図２に基づいて説明する。図２は図１に示すテープ印刷装置３の印刷機構にテープカセット３Ｄを装着した場合の概略構成を示す平面図である。
図２に示すように、印刷機構ＰＭに着脱自在に矩形状のテープカセット３Ｄが装着されており、このテープカセット３Ｄには、ラミネートフィルムテープ１１が巻装されたテープスプール１２と、インクリボン１３が巻装されたリボン供給スプール１４と、このインクリボン１３を巻取る巻取りスプール１５と、ラミネートフィルムテープ１１と同一幅を有する両面粘着テープ１６が剥離紙を外側にして巻装された供給スプール１７と、これらラミネートフィルムテープ１１と両面粘着テープ１６とを接合させる接合ローラ１８とが回転自在に設けられている。
【００２５】
前記ラミネートフィルムテープ１１とインクリボン１３とが重なる位置には、サーマルヘッド１９が立設され、これらラミネートフィルムテープ１１とインクリボン１３とをサーマルヘッド１９に押圧するプラテンローラ２０と、ラミネートフィルムテープ１１と両面粘着テープ１６とを接合ローラ１８に押圧して印刷テープ２３を作成する送りローラ２１とは、テープ印刷装置３の本体フレームに回動自在に枢着された支持体２２に回転可能に枢支されている。このサーマルヘッド１９には、５１２個の発熱素子からなる発熱素子群が上下方向に列設されている。
【００２６】
従って、テープ送りモータ７２（図５参照）の所定回転方向への駆動により、接合ローラ１８と巻取りスプール１５とが所定回転方向に夫々同期して駆動されながら、サーマルヘッド１９の発熱素子群に通電されたとき、ラミネートフィルムテープ１１上には複数のドット列により文字やバーコード等が印字され、しかもラミネートフィルムテープ１１は両面粘着テープ１６を接合した状態で印刷テープ２３としてテープ送り方向Ａにテープ送りされ、テープ排出口３Ｃから外部に繰出される。尚、印刷機構ＰＭの詳細については、例えば、特開平２−１０６５５５号公報に記載された機構とほぼ同一であるので、ここではその詳細な説明を省略する。
【００２７】
次に、この印刷テープ２３を自動的に切断する切断装置３０について簡単に説明する。前記テープカセット３Ｄの左側に対応するテープ印刷装置３の本体フレームの直ぐ内側には、板状の補助フレーム３１が立設され、この補助フレーム３１に固定刃３２が上向きに固着されている。補助フレーム３１に固着された左右方向向きの枢支軸３３には、前後方向に延びる操作レバー３４の前端近傍部が回動可能に枢支され、その操作レバー３４の枢支軸３３より前側に対応する部位において、可動刃３５が前記固定刃３２と対向して取付けられている。また、操作レバー３４の後端部は、切断用モータ７４（図５参照）に連結された揺動駆動機構（図示略）により上下揺動可能に構成され、常には、可動刃３５が固定刃３２から離間した状態で保持されている。
そして、サーマルヘッド１９により印刷された印刷テープ２３は、テープカセット３Ｄから固定刃３２と可動刃３５との間を通ってテープ排出口３Ｃから外に延びているので、切断信号により駆動された切断用モータ７４により、揺動駆動機構を介して操作レバー３４の後端部が上下揺動され、可動刃３５が固定刃３２に接近して、これら両刃３２・３５で印刷テープ２３が切断される。
【００２８】
ところで、前記テープカセット３Ｄから繰出される印刷テープ２３として、テープ幅を６ｍｍ、９ｍｍ、１２ｍｍ、１８ｍｍ、２４ｍｍとする５種類が準備されており、これらテープカセット３Ｄの底壁部には、これら５種類のテープ幅の何れかを検知する為に、４つの突出爪の有無を組合せた突出片２４が設けられている。そして、このテープカセット３Ｄの下側を支持する本体フレームには、この突出片２４の突出爪の組合せからテープ幅を検知するカセットセンサ６８（図５参照）が取付けられている。即ち、このカセットセンサ６８は、突出片２４を構成する突出爪の組合せにより、例えば、テープ幅が１８ｍｍのときには「０１００」のカセット信号を出力し、また、テープ幅が２４ｍｍのときには「１１００」のカセット信号を出力するとともに、テープカセット３Ｄが装着されていないときには、「００００」のカセット信号を出力する。
【００２９】
次に、ラベル印刷システム１を構成するコンピュータ装置２の回路構成について図３に基づいて説明する。図３は図１に示すコンピュータ装置２の要部の回路構成を示す回路ブロック図である。
図３に示すように、コンピュータ装置２のホストコントローラ４は、ＣＰＵ４１、ＲＯＭ４２、ＲＡＭ４３、入出力インターフェース（Ｉ／Ｆ）４４、通信用インターフェース（Ｉ／Ｆ）４５、フロッピー（登録商標）ディスクコントローラ（ＦＤＣ）４６、フロッピー（登録商標）ディスクドライブ（ＦＤＤ）４７、ハードディスクコントローラ（ＨＤＣ）４８、ハードディスクドライブ（ＨＤＤ）４９、表示装置コントローラ５０、モデム５１等を備えている。また、ＣＰＵ４１、ＲＯＭ４２、ＲＡＭ４３、入出力インターフェース（Ｉ／Ｆ）４４、通信用インターフェース（Ｉ／Ｆ）４５、及びモデム５１は、バス線５２により相互に接続されて、相互にデータのやり取りが行われる。また、入出力Ｉ／Ｆ４４には、ＦＤＤ４７を駆動制御するＦＤＣ４６を介してＦＤＤ４７、ＨＤＤ４９を駆動制御するＨＤＣ４８を介してＨＤＤ４９、及び表示装置コントローラ５０が接続されている。また、モデム５１には電話回線５３が接続されている。
【００３０】
そして、ホストコントローラ４には、入出力Ｉ／Ｆ４４を介して文字や記号等を入力するためのキーボード６、表示装置５の表示画面上の座標を入力するためのマウス７、図面から外形線データ等を取り込むためのイメージスキャナ８、及び印刷用データや後述のレイアウト編集画面８９（図８参照）を表示するレイアウト編集ソフト等の各種アプリケーションソフトウェア等をＣＤ−ＲＯＭ５６に書き込み及び読み込むためのＣＤ−Ｒ／Ｗ９が接続されている。また、ホストコントローラ４には、表示装置コントローラ５０を介して表示装置５が接続され、後述のようにレイアウト編集画面８９が表示され、入力されたラベルデータが表示された印刷テープ２３の印刷領域（図８参照）等が表示される。更に、ホストコントローラ４には、通信用Ｉ／Ｆ４５及び信号ケーブルＫ１を介してテープ印刷装置３が接続される。
【００３１】
また、ＣＰＵ４１は、ラベル印刷システム１全体を制御し、ラベル印刷システム１の動作に関する全てのデータを管理する。また、ＲＯＭ４２には、一般のパーソナルコンピュータと同様に電源投入時にコンピュータ装置２を立ち上げてＣＰＵ４１を起動させるための起動プログラムが格納されている。
【００３２】
また、ＲＡＭ４３は、ＣＰＵ４１が種々の制御を実行する際に、各種データを一時的に記憶するものであり、画像データ等のオブジェクト情報を記憶するオブジェクト情報記憶エリア４３Ａ、後述のように用途に基づいて選択したテンプレートを記憶するテンプレート記憶エリア４３Ｂ等が設けられている。
また、通信用Ｉ／Ｆ４５は、例えば、セントロニクスインターフェースやＵＳＢ（UniversalSerial Bus）等から構成され、テープ印刷装置３や外部の電子機器（例えば、コンピュータ、レーザプリンタ等）と双方向データ通信が可能になっている。
【００３３】
また、ＨＤＤ４９に装着されるハードディスクには、ＭＳ−ＤＯＳ（登録商標）やウィンドウズ（登録商標）システム等の各種オペレーティングシステム（ＯＳ）に加えて、テープ印刷装置３や外部の電子機器に対してデータの送受信を行うための通信用プロトコル、ブラウザや当該ＯＳにて実行可能なワープロソフトや印刷用ラベルデータを作成するレイアウト編集ソフト等の各種アプリケーションソフトウェアが必要に応じて格納されると共に、後述するテンプレートを用途別フォルダから取得してテープの印刷領域に挿入表示して編集するレイアウト編集処理等の制御処理の制御プログラムが記憶格納されている。また、ＨＤＤ４９に装着されるハードディスクには、各種テンプレートのデータファイルがアルバム用やキッチン用等の用途別に格納された複数の用途別フォルダと、各用途別フォルダを表すアイコンが記憶格納されている。
また、ＦＤＤ４７に着脱自在に装着されるフロッピー（登録商標）ディスク（ＦＤ）５５には、後述する処理にて得られた各種印刷データが格納保存される。
【００３４】
また、ＣＤ−Ｒ／Ｗ９に着脱自在に装着される光ディスク（ＣＤ−ＲＯＭ）５６には、後述するテンプレートを用途別フォルダから取得してテープの印刷領域に挿入表示して編集するレイアウト編集処理等の制御処理の制御プログラム等と共に、ＧＩＦ、ＪＰＥＧ、ＢＭＰ等の様々な形式の各種オブジェクトのオブジェクト情報（例えば、オブジェクト名、オブジェクトの原画像の縦寸法、オブジェクトの原画像の横寸法、画像データ等である。）が記録されて、各種ラベルデータ作成装置に供給される。
【００３５】
次に、ホストコントローラ４のＨＤＤ４９に記憶される用途別に設けられた用途別フォルダの一例について図４に基づいて説明する。図４はホストコントローラ４のＨＤＤ４９に記憶される用途別に設けられた用途別フォルダの一例を示す図である。
【００３６】
図４に示すように、ＨＤＤ４９には、写真等のアルバム用の各種テンプレートが格納されたアルバム用フォルダ８１、キッチンで使用する台所用品や料理道具用の各種テンプレートが格納されたキッチン用フォルダ８２、お店で使用する商品用の各種テンプレートが格納されたお店用フォルダ８３等、各種用途別に設けられた複数の用途別フォルダが記憶されている。
【００３７】
また、各用途別フォルダに記憶される各テンプレートには、それぞれを印刷できるテープの種類（例えば、テープ幅、材質等である。）を表すテープＩＤが付されている。例えば、アルバム用フォルダ８１には、テープ幅９ｍｍのテープを表すテープＩＤが付された各テンプレート８１Ａ、テープ幅１２ｍｍのテープを表すテープＩＤが付された各テンプレート８１Ｂ、テープ幅１８ｍｍのテープを表すテープＩＤが付された各テンプレート８１Ｃ、テープ幅２４ｍｍのテープを表すテープＩＤが付されたテンプレート８１Ｄが、格納されている。
【００３８】
尚、無定長ロールシートやダイカットが巻回されたロールシートホルダ用のテンプレートを各種用途別に設けられた各フォルダ８１、８２、８３等に記憶するようにしてもよい。これにより、ロールシート幅が１２ｍｍ、１７ｍｍ、２９ｍｍ、３８ｍｍ、６２ｍｍ等のロールシート用のテンプレートを使用してラベルデータを作成することが可能となる。
【００３９】
次に、ラベル印刷システム１を構成するテープ印刷装置３の回路構成について図５に基づき説明する。図５は図１に示すテープ印刷装置３の要部の回路構成を示す回路ブロック図である。
図５に示すように、テープ印刷装置３の制御回路部６０は、ＣＰＵ６１、ＣＧ（キャラクタジェネレータ）ＲＯＭ６２、ＲＯＭ６３、ＲＡＭ６４、入出力インターフェース（Ｉ／Ｆ）６５、及び通信用インターフェース（Ｉ／Ｆ）６６等を備えている。また、ＣＰＵ６１、ＣＧＲＯＭ６２、ＲＯＭ６３、ＲＡＭ６４、入出力インターフェース（Ｉ／Ｆ）６５、及び通信用インターフェース（Ｉ／Ｆ）６６は、バス線６７により相互に接続されて、相互にデータのやり取りが行われる。
ここに、ＣＧＲＯＭ６２には各キャラクタに対応するドットパターンデータが記憶されている。
【００４０】
また、ＲＯＭ６３は各種のプログラムを記憶させておくものであり、印刷制御プログラム等のテープ印刷装置３の制御上必要な各種のプログラムが記憶されている。そして、ＣＰＵ６１はかかるＲＯＭ６３に記憶されている各種のプログラムに基づいて各種の演算を行なうものである。また、ＣＧＲＯＭ６２には、多数の文字等のキャラクタのそれぞれについて、各キャラクタの輪郭線を規定する輪郭線データ（アウトラインデータ）が各書体（ゴシック系書体、明朝体系書体等）毎に分類されてコードデータに対応して記憶されている。このアウトラインデータに基づいてドットパターンデータがイメージバッファ上に展開される。
【００４１】
また、ＲＡＭ６４はＣＰＵ６１により演算された各種の演算結果を一時的に記憶させておくためのものである。また、サーマルヘッド１９を介してラミネートテープ１１に印字する際に印字データが一時記憶される。更に、ＲＡＭ６４には、テキストメモリ、イメージバッファ、印字バッファ等の各種のメモリが設けられている。
【００４２】
また、入出力Ｉ／Ｆ６５には、キーボード３Ａ、ディスプレイ３Ｂ、カセットセンサ６８、サーマルヘッド１９を駆動する為の駆動回路７１、テープ送りモータ７２を駆動する為の駆動回路７３、及び切断用モータ７４を駆動する為の駆動回路７５等が夫々接続されている。
また、通信用Ｉ／Ｆ６６は、例えば、セントロニクスインターフェースやＵＳＢ等から構成され、コンピュータ装置２と双方向データ通信が可能になっている。
【００４３】
次に、このように構成されたテープ印刷システム１のコンピュータ装置２のＣＰＵ４１によるテンプレートを用途別フォルダから取得してテープの印刷領域に挿入表示して編集するレイアウト編集処理について図６乃至図１１に基づいて説明する。
図６は図１に示すコンピュータ装置２のＣＰＵ４１によるテンプレートを用途別フォルダから取得してテープの印刷領域に挿入表示して編集するレイアウト編集処理を示すメインフローチャートである。図７は図６の「フォルダ表示変更処理」のサブ処理を示すサブフローチャートである。図８はレイアウト編集ソフトの起動時に表示されるレイアウト編集画面の一例を示す図である。図９は各用途別フォルダのアイコンを一覧表示したアイコン選択画面の一例を示す図である。図１０はアルバム用フォルダ８１に格納されたテンプレートの一覧表示の一例を示す図である。図１１はレイアウトにテンプレートを挿入表示した一例を示す図である。
【００４４】
図６に示すように、先ず、ステップ（以下、Ｓと略記する）１１において、コンピュータ装置２のＣＰＵ４１は、ラミネートテープフィルム１１等に印字するラベルデータを作成するためのレイアウト編集ソフトが起動された場合には、通信用インターフェース４５を介して、テープ印刷装置３のＣＰＵ６１から当該テープ印刷装置３に装着されているテープカセット３Ｄに収納されているテープの種類（ラミネートテープ、ノンラミネートテープ等である。）、テープ幅（６ｍｍ、９ｍｍ、１２ｍｍ、１８ｍｍ、２４ｍｍである。）、材質等の印刷テープ２３に関する情報（印刷媒体情報）を取得して、後述の「フォルダ表示変更処理」のサブ処理（Ｓ１４）等において使用するテープ（印刷媒体）に関するテープＩＤ（印刷媒体情報）としてＲＡＭ４３及びＨＤＤ４９に記憶する。尚、テープ印刷装置３が接続されていない場合には、前回ＨＤＤ４９に記憶したテープＩＤを読み出し、後述の「フォルダ表示変更処理」のサブ処理（Ｓ１４）等において使用するテープ（印刷媒体）に関するテープＩＤ（印刷媒体情報）としてＲＡＭ４３及びＨＤＤ４９に記憶する。
【００４５】
続いて、Ｓ１２において、ＣＰＵ４１は、表示装置５に、レイアウト表示画面９０が形成されたレイアウト編集画面８９を表示する。
【００４６】
ここで、レイアウト編集ソフトの起動時に表示されるレイアウト編集画面８９の一例について図８に基づいて説明する。
図８に示すように、ＣＰＵ４１は、表示装置５に、レイアウト表示画面９０が形成されたレイアウト編集画面８９を表示する。そして、ＣＰＵ４１は、ＲＡＭ４３からテープＩＤを読み出し、このテープＩＤに含まれるテープ幅が「１２ｍｍ」の場合には、ＣＰＵ４１は、印刷テープ２３を表す幅が１２ｍｍで搬送方向所定長さ（本実施例では、約２７ｍｍである。）の長四角形のレイアウト９１を、印刷するテキストが横書きであるため、レイアウト９１の搬送方向がレイアウト表示画面９０の左右方向に沿うように表示する。そして、レイアウト９１の内側に四角形の印刷領域９１Ａを細い破線で表示する。尚、レイアウト編集ソフトが起動された場合には、印刷テープ２３に印刷するテキストや図形等のラベルデータは横書きに設定されている。
【００４７】
また、ＣＰＵ４１は、印刷するテキストや図形等のラベルデータが横書きであると共に、長尺状のラミネートテープ１１等が装着されていることを表すため、幅が１２ｍｍの半透明横長四角形のシルエット９２をレイアウト９１の右側端縁部（搬送方向後側）からレイアウト表示画面９０の側端縁部まで表示する。尚、シルエット９２は、自由長印刷モードで設定可能な自由長さの最大長さに対応する長さまで表示可能である。また、ＣＰＵ４１は、レイアウト９１の左側端縁部（搬送方向先端縁部）の外側に、該左側端縁部に平行にテープ幅を表す「１２ｍｍ」の文字列を表示して、当該レイアウト９１の搬送方向を表す。
【００４８】
また、ＣＰＵ４１は、レイアウト表示画面９１の中央部に、ラベルデータの横書き又は縦書きの設定を選択する選択画面９４と、該選択画面９４の表示を指示する「新規作成」のメニューボタン９５と、ＨＤＤ４９に記憶される各用途別フォルダを表すアイコンを一覧表示する後述のアイコン選択画面９６（図９参照）の表示を指示する「用途から選ぶ」のメニューボタン９７とが表示されたメニュー画面９８を表示する。
【００４９】
続いて、図６に示すように、Ｓ１３において、ＣＰＵ４１は、レイアウト表示画面９０の中央部に表示されるメニュー画面９８の「用途から選ぶ」のメニューボタン９７が、マウス７でクリックされたか否かを判定する判定処理を実行する。つまり、ＣＰＵ４１は、レイアウト９１の印刷領域９１Ａに挿入表示するテンプレートを、当該テンプレートの用途に一致する用途別フォルダに格納されている複数のテンプレートから選択するか否かを判定する判定処理を実行する。
【００５０】
そして、レイアウト表示画面９１の中央部に表示されるメニュー画面９８の「用途から選ぶ」のメニューボタン９７が、マウス７でクリックされた場合には（Ｓ１３：ＹＥＳ）、ＣＰＵ４１は、Ｓ１４の処理に移行する。Ｓ１４において、ＣＰＵ４１は、アイコン選択画面９６に一覧表示される各用途別フォルダを表すアイコンの表示態様を設定する「フォルダ表示変更処理」のサブ処理を実行する。
【００５１】
ここで、アイコン選択画面９６に一覧表示される各用途別フォルダを表すアイコンの表示態様を設定する「フォルダ表示変更処理」のサブ処理について図７に基づいて説明する。
図７に示すように、Ｓ１１１において、ＣＰＵ４１は、ＨＤＤ４９に記憶される各用途別フォルダを順番に処理対象として設定する。
続いて、Ｓ１１２において、ＣＰＵ４１は、Ｓ１１１で処理対象として設定された用途別フォルダに格納される各テンプレートを順番に処理対象として再度、設定する。
【００５２】
そして、Ｓ１１３において、ＣＰＵ４１は、処理対象として設定されたテンプレートに付された当該テンプレートを印刷できるテープの種類（例えば、テープ幅、材質等である。）を表すテープＩＤをＨＤＤ４９から読み出す。続いて、ＣＰＵ４１は、テープ（印刷媒体）に関するテープＩＤ（印刷媒体情報）をＲＡＭ４３から読み出し、当該テンプレートに付されたテープＩＤと一致するか否かを判定する判定処理を実行する。つまり、ＣＰＵ４１は、テンプレートが印刷できるテープ幅と、ＲＡＭ４３から読み出したテープＩＤに含まれるテープ幅とが一致するか否かを判定する判定処理を実行する。
【００５３】
そして、ＲＡＭ４３から読み出したテープＩＤと当該テンプレートに付されたテープＩＤとが一致しない場合には、即ち、テープＩＤに含まれるテープ幅と当該テンプレートが印刷できるテープ幅とが一致しない場合には（Ｓ１１３：ＮＯ）、ＣＰＵ４１は、Ｓ１１４に移行する。Ｓ１１４において、ＣＰＵ４１は、Ｓ１１２で処理対象とした次のテンプレートがあるか否かを判定する判定処理を実行する。そして、Ｓ１１２で処理対象とした次のテンプレートがある場合には（Ｓ１１４：ＹＥＳ）、ＣＰＵ４１は、この次のテンプレートを処理対象に設定し、再度Ｓ１１３移行の処理を実行する。
【００５４】
一方、Ｓ１１２で処理対象とした次のテンプレートが無い場合には（Ｓ１１４：ＮＯ）、ＣＰＵ４１は、上記Ｓ１１１で設定した当該用途別フォルダには、テープに印刷できるテンプレートが格納されていないと判定して、テンプレートの検出ループを終了して、Ｓ１１５の処理に移行する。
【００５５】
Ｓ１１５において、ＣＰＵ４１は、後述のアイコン選択画面９６（図９参照）に一覧表示される当該用途別フォルダを表すアイコンとして、テープに印刷できるテンプレートが無い旨を表すアイコン（以下、「テンプレート無しアイコン」という。）をＨＤＤ４９から読み出し、当該用途別フォルダに対応付けて、オブジェクト情報記憶エリア４３Ａに記憶後、Ｓ１１７の処理に移行する。
尚、各用途別フォルダ毎に、テープに印刷できるテンプレートが無い旨を表すテンプレート無しアイコンと、テープに印刷できるテンプレートがある旨を表すアイコン（以下、「テンプレート有りアイコン」という。）とが、互いに異なる表示態様で作成されて、ＨＤＤ４９に記憶されている。
【００５６】
また一方、上記Ｓ１１３で、ＲＡＭ４３から読み出したテープＩＤと当該テンプレートに付されたテープＩＤとが一致する場合には（Ｓ１１３：ＹＥＳ）、ＣＰＵ４１は、上記Ｓ１１１で設定した当該用途別フォルダに、テープに印刷できるテンプレートが格納されていると判定して、テンプレートの検出ループを終了して、Ｓ１１６の処理に移行する。
【００５７】
Ｓ１１６において、ＣＰＵ４１は、後述のアイコン選択画面９６（図９参照）に一覧表示される当該用途別フォルダを表すアイコンとして、テープに印刷できるテンプレートがある旨を表すテンプレート有りアイコンをＨＤＤ４９から読み出し、当該用途別フォルダに対応付けて、オブジェクト情報記憶エリア４３Ａに記憶後、Ｓ１１７の処理に移行する。
【００５８】
続いて、Ｓ１１７において、ＣＰＵ４１は、上記Ｓ１１１で処理対象とした次の用途別フォルダがあるか否かを判定する判定処理を実行する。そして、Ｓ１１１で処理対象とした次の用途別フォルダがある場合には（Ｓ１１７：ＹＥＳ）、ＣＰＵ４１は、この次の用途別フォルダを処理対象に設定し、再度Ｓ１１２以降の処理を実行する。
【００５９】
一方、Ｓ１１１で処理対象とした次の用途別フォルダが無い場合には（Ｓ１１７：ＮＯ）、ＣＰＵ４１は、ＨＤＤ４９に記憶される全用途別フォルダについて、各用途別フォルダを表すアイコンの表示態様を設定する処理を実行したと判定し、ループを終了する。そして、ＣＰＵ４１は、当該サブ処理を終了してメインフローチャートに戻り、Ｓ１５の処理に移行する。
【００６０】
そして、図６に示すように、Ｓ１５において、ＣＰＵ４１は、各用途別フォルダを表すテンプレート有りアイコン又はテンプレート無しアイコンをオブジェクト情報記憶エリア４３Ａから読み出し、各用途別フォルダのテンプレート有りアイコン又はテンプレート無しアイコンが一覧表示されたアイコン選択画面９６を表示する。
【００６１】
ここで、各用途別フォルダのテンプレート有りアイコン又はテンプレート無しアイコンが一覧表示されたアイコン選択画面９６の一例を図９に基づいて説明する。
図９に示すように、ＣＰＵ４１は、メニュー画面９８を拡大し、選択画面９４に替えて各用途別フォルダを表すテンプレート有りアイコン又はテンプレート無しアイコンを一覧表示するアイコン選択画面９６を表示すると共に、該アイコン選択画面９６の表示を指示する「用途から選ぶ」のメニューボタン９７と、選択画面９４の表示を指示する「新規作成」のメニューボタン９５とを表示する。
【００６２】
また、アイコン選択画面９６の左側には、テープＩＤ（印刷媒体情報）としてテープ幅を入力するテープＩＤ入力枠１０７が設けられている。尚、ＣＰＵ４１は、ＲＡＭ４３からテープＩＤに含まれるテープ幅を読み出し、テープＩＤ入力枠１０７に表示する。また、後述のように、このテープＩＤ入力枠１０７がマウス７でクリックされて、テープ幅（例えば、９ｍｍや２４ｍｍ等である。）が変更された場合には、ＣＰＵ４１は、この入力されたテープ幅をテープＩＤ入力枠１０７に表示すると共に、ＲＡＭ４３にテープＩＤに含まれるテープ幅として記憶し、ＲＡＭ４３に記憶されているテープＩＤに含まれるテープ幅を変更する（Ｓ１７参照）。
【００６３】
また、アイコン選択画面９６には、写真等のアルバムに使用するアルバム用、鉢植え等に使用するガーデニング用、台所用品等に使用するキッチン用、ケーブルやコネクタが設けられたパネル等に使用するケーブルアンドパネル用、ファイルの背表紙等に使用するファイル用の各用途別フォルダを表す各テンプレート有りアイコン１０１〜１０５が表示されている。また、各テンプレート有りアイコン１０１〜１０５には、それぞれの使用状態を表す写真のサムネイルと共に用途を表すテキストが表示され、テープＩＤ入力枠１０７に表示されているテープ幅（図９の場合には、テープ幅１２ｍｍである。）のテープに印刷することができるテンプレートが格納されている旨が表されている。
【００６４】
また、各テンプレート有りアイコン１０１、１０２の間には、店内の商品等に使用するお店用の用途別フォルダを表すテンプレート無しアイコン１０６が表示されている。また、このテンプレート無しアイコン１０６には、シートフォルダに「無し」のテキストが記載されたサムネイルと共に、用途を表す「お店用」のテキストが表示され、テープＩＤ入力枠１０７に表示されているテープ幅（図９の場合には、テープ幅１２ｍｍである。）のテープに印刷することができるテンプレートが格納されていない旨が表されている。
【００６５】
従って、ユーザは、使用状態を表す写真のサムネイルが表示されている場合には、テンプレート有りアイコンであり、シートフォルダに「無し」のテキストが記載されたサムネイルの場合には、テンプレート無しアイコンであることを一見して知ることができる。また、ユーザは、使用状態を表す写真のサムネイルと各アイコンに表示された用途を表すテキストによって、目的の用途にあったアイコンを容易に選択することができる。
【００６６】
続いて、図６に示すように、Ｓ１６において、ＣＰＵ４１は、アイコン選択画面９６を表示した状態で、ＲＡＭ４３に記憶するテープＩＤを変更するように指示されたか否かを判定する判定処理を実行する。
例えば、図９に示す状態で、ＣＰＵ４１は、テープＩＤ入力枠１０７がマウス７でクリックされて、テープ幅（例えば、９ｍｍや２４ｍｍ等である。）が選択されたか否かを判定する判定処理を実行する。
【００６７】
そして、アイコン選択画面９６を表示した状態で、ＲＡＭ４３に記憶するテープＩＤを変更するように指示された場合には（Ｓ１６：ＹＥＳ）、ＣＰＵ４１は、Ｓ１７の処理に移行する。Ｓ１７において、ＣＰＵ４１は、変更されたテープＩＤを再度ＲＡＭ４３に記憶し、ＲＡＭ４３に記憶されるテープＩＤを更新後、再度Ｓ１４以降の処理を実行する。
【００６８】
例えば、図９に示す状態で、テープＩＤ入力枠１０７がマウス７でクリックされて、テープ幅（例えば、９ｍｍや２４ｍｍ等である。）が選択された場合には（Ｓ１６：ＹＥＳ）、ＣＰＵ４１は、Ｓ１７の処理に移行する。Ｓ１７において、ＣＰＵ４１は、テープＩＤ入力枠１０７に入力されたテープ幅をテープＩＤ入力枠１０７に表示すると共に、ＲＡＭ４３にテープＩＤに含まれるテープ幅として記憶し、ＲＡＭ４３に記憶されているテープＩＤに含まれるテープ幅を変更後、再度Ｓ１４以降の処理を実行する。
【００６９】
一方、テープＩＤ入力枠１０７がマウス７でクリックされて、テープ幅（例えば、９ｍｍや２４ｍｍ等である。）が選択されていない場合には（Ｓ１６：ＮＯ）、ＣＰＵ４１は、Ｓ１８の処理に移行する。Ｓ１８において、ＣＰＵ４１は、アイコン選択画面９６に一覧表示された各アイコン１０１〜１０５等の複数のテンプレート有りアイコンのいずれかがマウス７でクリックされるのを待つ（Ｓ１８：ＮＯ）。つまり、ＣＰＵ４１は、用途別フォルダが選択されるのを待つ。尚、ユーザがアイコン選択画面９６に一覧表示された各アイコン１０１〜１０５等の複数のテンプレート有りアイコンのいずれかをマウス７でクリックすることによって、ＣＰＵ４１は、マウス７でクリックされたアイコンに対応する用途別フォルダが選択されたと判定する。
【００７０】
そして、アイコン選択画面９６に一覧表示された各アイコン１０１〜１０５等の複数のテンプレート有りアイコンのいずれかがマウス７でクリックされた場合には（Ｓ１８：ＹＥＳ）、ＣＰＵ４１は、Ｓ１９の処理に移行する。Ｓ１９において、ＣＰＵ４１は、マウス７でクリックされたアイコンに対応する用途別フォルダに格納されるテンプレートの中から、ＲＡＭ４３に記憶するテープＩＤ（テープ幅）と同じテープＩＤ（テープ幅）が付されたテンプレート、即ち、テープに印刷できるテンプレートだけを選択して、一覧表示する。
【００７１】
ここで、図９に示すテンプレート有りアイコン１０１がマウス７でクリックされた場合に、図４に示すアルバム用フォルダ８１に格納されたテンプレートの一覧表示の一例を図１０に基づいて説明する。
図９に示すテンプレート有りアイコン１０１がマウス７でクリックされた場合には、ＣＰＵ４１は、ＲＡＭ４３からテープＩＤ（テープ幅１２ｍｍ）を読み出す。また、ＣＰＵ４１は、テープＩＤ入力枠１０７にテープＩＤを表すテープ幅「１２ｍｍ」を表示する。そして、ＣＰＵ４１は、ＨＤＤ４９に記憶されるテンプレート有りアイコン１０１に対応するアルバム用フォルダ８１（図４参照）に格納された各テンプレート８１Ａ〜８１Ｄから、ＲＡＭ４３から読み出したテープＩＤに対応する各テンプレート８１Ｂ、つまり、テープ幅１２ｍｍに印刷できる各テンプレート８１Ｂを読み出し、ＲＡＭ４３に記憶する。
【００７２】
そして、図１０に示すように、ＣＰＵ４１は、メニュー画面９８に替えて、テープ幅１２ｍｍに印刷できる各テンプレート８１Ｂが一覧表示されたテンプレート選択画面１１１を表示する。また、ＣＰＵ４１は、各テンプレート８１Ｂの搬送方向後端縁部の上側に、印刷できるテープ幅を表す「１２ｍｍ」のテキストを表示する。
【００７３】
また、ＣＰＵ４１は、テンプレート選択画面１１１の右下端縁部に、マウス７でクリックしたテンプレートのレイアウト９１への挿入表示を指示するＯＫボタン１０８と、テンプレートの選択の中止を指示するキャンセルボタン１０９とを表示する。尚、キャンセルボタン１０９がマウス７でクリックされた場合には、ＣＰＵ４１は、テンプレート選択画面を消去し、レイアウト編集画面９０を表示する。
【００７４】
続いて、図６に示すように、Ｓ２０において、ＣＰＵ４１は、テンプレート選択画面１１１に一覧表示された各テンプレート８１Ｂのいずれかがマウス７でクリックされて、選択されるのを待つ（Ｓ２０：ＮＯ）。
そして、テンプレート選択画面１１１に一覧表示された各テンプレート８１Ｂのいずれかがマウス７でクリックされて、選択された場合には（Ｓ２０：ＹＥＳ）、ＣＰＵ４１は、Ｓ２１の処理に移行する。
【００７５】
Ｓ２１において、ＣＰＵ４１は、表示装置５にレイアウト表示画面９０が形成されたレイアウト編集画面８９を表示する。そして、ＣＰＵ４１は、レイアウト表示画面９０にレイアウト９１及びシルエット９２を表示すると共に、上記Ｓ２０で選択されたテンプレートをＨＤＤ４９から読み出し、レイアウト９１の印刷領域９１Ａに挿入表示して、ラベルデータとしてＲＡＭ４３に記憶後、当該処理を終了する。
【００７６】
ここで、レイアウト９１に図１０で選択されたテンプレート８１Ｂを挿入表示した一例を図１１に基づいて説明する。
図１１に示すように、ＲＡＭ４３に記憶されているテープＩＤに含まれるテープ幅が１２ｍｍの場合には、ＣＰＵ４１は、テープ幅が１２ｍｍで所定長さのレイアウト９１を表示する。
【００７７】
そして、図１０のテンプレート選択画面１１１で選択されたテンプレート８１ＢをＨＤＤ４９から読み出し、レイアウト９１の印刷領域９１Ａ内にテンプレート８１Ｂが入るように、当該レイアウト９１を横方向に拡大する。その後、ＣＰＵ４１は、レイアウト９１の印刷領域９１Ａ内にテンプレート８１Ｂを挿入表示して、ラベルデータとしてＲＡＭ４３に記憶する。また、同時に、ＣＰＵ４１は、シルエット９２の左端部が、レイアウト９１に接続されるように縮めて表示する。また、ＣＰＵ４１は、レイアウト９１の左側端縁部（搬送方向先端縁部）の外側に、該左側端縁部に平行にテープ幅を表す「１２ｍｍ」の文字列を表示して、当該レイアウト９１の搬送方向を表す。
【００７８】
他方、図６に示すように、上記Ｓ１３でレイアウト表示画面９１の中央部に表示されるメニュー画面９８の「用途から選ぶ」のメニューボタン９７が、マウス７でクリックされない場合、つまり、メニュー画面９８のＯＫボタン９９がマウス７でクリックされた場合には（Ｓ１３：ＮＯ）、ＣＰＵ４１は、Ｓ２２の処理に移行する。
【００７９】
Ｓ２２において、ＣＰＵ４１は、ＲＡＭ４３に記憶したテープＩＤ（テープ幅）を読み出す。そして、ＣＰＵ４１は、ＨＤＤ４９に予め記憶される各テープ幅６ｍｍ、９ｍｍ、１２ｍｍ、１８ｍｍ、２４ｍｍに対応する５種類の白紙のテンプレートから、テープ幅が一致する白紙のテンプレートを選択してＲＡＭ４３に記憶後、Ｓ２１の処理に移行する。
【００８０】
そして、Ｓ２１において、ＣＰＵ４１は、表示装置５にレイアウト表示画面９０が形成されたレイアウト編集画面８９を表示する。そして、ＣＰＵ４１は、レイアウト表示画面９０にレイアウト９１及びシルエット９２を表示すると共に、上記Ｓ２２で選択された白紙のテンプレートをＲＡＭ４３から読み出し、レイアウト９１の印刷領域９１Ａに挿入表示して、当該処理を終了する。
【００８１】
ここで、コンピュータ装置２は、ラベルデータ作成装置として機能する。また、ＣＰＵ４１、ＲＯＭ４２、ＲＡＭ４３、ＨＤＤ４９及び表示装置５は、表示手段、アイコン一覧表示手段、テンプレート一覧表示手段、レイアウト表示手段、挿入表示手段を構成する。また、ＣＰＵ４１、ＲＯＭ４２、ＲＡＭ４３、ＨＤＤ４９は、印刷データ作成・編集手段、フォルダ抽出手段、情報取得手段を構成する。また、ＨＤＤ４９は、テンプレート記憶手段として機能する。また、通信用インターフェース４５は、通信手段として機能する。また、キーボード６、マウス７、テープＩＤ入力枠１０７は、媒体情報入力手段を構成する。
【００８２】
以上詳細に説明した通り、本実施例に係るラベル印刷システム１では、コンピュータ装置２のＣＰＵ４１は、レイアウト編集ソフトが起動された場合には、テープ印刷装置３のＣＰＵ６１からテープカセット３Ｄに収納されているテープに関するテープＩＤを取得する。そして、ＣＰＵ４１は、表示装置５に、レイアウト表示画面９０が形成されたレイアウト編集画面８９を表示し、このレイアウト表示画面９１の中央部にメニュー画面９８を表示する（Ｓ１１〜Ｓ１２）。
【００８３】
そして、メニュー画面９８の「用途から選ぶ」のメニューボタン９７が、マウス７でクリックされた場合には（Ｓ１３：ＹＥＳ）、ＣＰＵ４１は、アイコン選択画面９６に用途別フォルダを表すテンプレート無しアイコン又はテンプレート有りアイコンを一覧表示する（Ｓ１４〜Ｓ１５）。また、ユーザがテープＩＤを変更した場合には、ＣＰＵ４１は、アイコン選択画面９６に用途別フォルダを表すテンプレート無しアイコン又はテンプレート有りアイコンを再度選択して、一覧表示する（Ｓ１６：ＹＥＳ〜Ｓ１５）。
【００８４】
そして、ユーザが所望のテンプレート有りアイコンをマウス７でクリックした場合には、ＣＰＵ４１は、テンプレート有りアイコンに対応する用途別フォルダに格納されたテンプレートの中から、テープカセット３Ｄに収納されるテープ幅に一致するテンプレートだけを選択して、テンプレート選択画面１１１に一覧表示する（Ｓ１８〜Ｓ１９）。その後、ユーザが、所望のテンプレートをマウス７でクリックして選択した場合には、ＣＰＵ４１は、この選択されたテンプレートをＨＤＤ４９から読み出し、レイアウト９１の印刷領域９１Ａに挿入表示して、ラベルデータとしてＲＡＭ４３に記憶する（Ｓ２０〜Ｓ２１）。
【００８５】
従って、ユーザは、アイコン選択画面９６に表示された複数のアイコンの中から、用途にあったテンプレート有りアイコンを選択することによって、テープ印刷装置３に装着されたテープカセット３Ｄに収納されたテープ又はユーザが要望するテープに印刷でき、且つ、用途にあったテンプレートが格納された用途別フォルダを容易に選択することができる。また、ユーザは、ＲＡＭ４３に記憶するテープＩＤを変更することによって、テープ幅が異なる用途にあった所望のテンプレートを選択し、テープ印刷装置３に装着されたテープカセット３Ｄを交換することによって、要望するテンプレートが印刷された印刷テープ２３を作成することができる。
【００８６】
また、ユーザは、テンプレート有りアイコンを選択することによって、この選択されたアイコンに対応する用途別フォルダ内の格納されたテンプレートの中から、テープ印刷装置３に装着されたテープカセット３Ｄに収納されたテープ又はユーザが要望するテープに印刷できるテンプレートだけが一覧表示される。このため、ユーザは、テープ印刷装置に装着されたテープカセット３Ｄに収納されるテープ又はユーザが要望するテープの種類に一致するテンプレートを確実に選択して、レイアウト上にラベルデータとして容易に挿入表示することができる。
【００８７】
尚、本発明は前記実施例に限定されることはなく、本発明の要旨を逸脱しない範囲内で種々の改良、変形が可能であることは勿論である。例えば、以下のようにしてもよい。
【００８８】
（Ａ）例えば、上記Ｓ１５で、ＣＰＵ４１は、各用途別フォルダを表すテンプレート有りアイコンだけをオブジェクト情報記憶エリア４３Ａから読み出し、各用途別フォルダのテンプレート有りアイコンだけが一覧表示されたアイコン選択画面９６を表示するようにしてもよい。これにより、ユーザは、テープ印刷装置３に装着されたテープカセット３Ｄに収納されたテープの種類又は要望するテープの種類に印刷でき、且つ、用途にあったテンプレートが格納された用途別フォルダを更に容易に選択することができる。
【００８９】
（Ｂ）例えば、上記図９に示すアイコン選択画面９６において、テンプレート無しアイコン１０６に、使用状態を表す写真のサムネイルと共に用途を表すテキストを表示し、該アイコン１０６の全体を暗く表示し、他のテンプレート有りアイコン１０１〜１０５を明るく表示するようにしてもよい。これにより、ユーザは、各アイコン１０１〜１０６の明るさで、印刷テープ２３又はユーザが要望するテープに印刷できるテンプレートが格納されているか否かを判断することが可能となる。
【００９０】
（Ｃ）例えば、上記Ｓ１９において、ＣＰＵ４１は、マウス７でクリックされたアイコンに対応する用途別フォルダに格納される全てのテンプレートを一覧表示するようにしてもよい。これにより、ユーザは、テープ印刷装置３に装着されたテープカセット３Ｄを交換することによって、テープ幅が異なるテンプレートを選択して、用途にあった所望のテンプレートが印刷された印刷テープ２３を作成することができる。
【図面の簡単な説明】
【００９１】
【図１】本実施例に係るラベル印刷システムの概略構成である。
【図２】図１に示すテープ印刷装置の印刷機構にテープカセットを装着した場合の概略構成を示す平面図である。
【図３】図１に示すコンピュータ装置の要部の回路構成を示す回路ブロック図である。
【図４】ホストコントローラのＨＤＤに記憶される用途別に設けられた用途別フォルダの一例を示す図である。
【図５】図１に示すテープ印刷装置の要部の回路構成を示す回路ブロック図である。
【図６】図１に示すコンピュータ装置のＣＰＵによるテンプレートを用途別フォルダから取得してテープの印刷領域に挿入表示して編集するレイアウト編集処理を示すメインフローチャートである。
【図７】図６の「フォルダ表示変更処理」のサブ処理を示すサブフローチャートである。
【図８】レイアウト編集ソフトの起動時に表示されるレイアウト編集画面の一例を示す図である。
【図９】各用途別フォルダのアイコンを一覧表示したアイコン選択画面の一例を示す図である。
【図１０】アルバム用フォルダに格納されたテンプレートの一覧表示の一例を示す図である。
【図１１】レイアウトにテンプレートを挿入表示した一例を示す図である。
【符号の説明】
【００９２】
１        ラベル印刷システム
２        コンピュータ装置
３        テープ印刷装置
３Ｄ      テープカセット
４        ホストコントローラ
５        表示装置
６        キーボード
７        マウス
４１      ＣＰＵ
４２      ＲＯＭ
４３      ＲＡＭ
４３Ａ    オブジェクト情報記憶エリア
４９      ＨＤＤ
８１      アルバム用フォルダ
８１Ａ〜８１Ｄ        テンプレート
８２      キッチン用フォルダ
８３      お店用フォルダ
８９      レイアウト編集画面
９０      レイアウト表示画面
９１      レイアウト
９１Ａ    印刷領域
９４      選択画面
９５、９７            メニューボタン
９６      アイコン選択画面
９８      メニュー画面
１０１〜１０５        テンプレート有りアイコン
１０６                テンプレート無しアイコン
１０７    テープＩＤ入力枠
１１１    テンプレート選択画面
【図１】
2009093243.tif 000003
【図２】
2009093243.tif 000004
【図３】
2009093243.tif 000005
【図４】
2009093243.tif 000006
【図５】
2009093243.tif 000007
【図６】
2009093243.tif 000008
【図７】
2009093243.tif 000009
【図８】
2009093243.tif 000010
【図９】
2009093243.tif 000011
【図１０】
2009093243.tif 000012
【図１１】
2009093243.tif 000013